【手続補正書】
【提出日】平成21年3月19日(2009.3.19)
【手続補正１】
【補正対象書類名】特許請求の範囲
【補正対象項目名】全文
【補正方法】変更
【補正の内容】
【特許請求の範囲】
【請求項１】
透明基板と、該透明基板に対向して配置された封止部と、該封止部の対向する外周辺からそれぞれ逆方向に導出され前記透明基板に配置された一対の第１極性電極と、該第１極性電極と交差する方向で前記封止部の対向する外周辺からそれぞれ逆方向に導出され前記透明基板に配置された一対の第２極性電極とを有するＥＬ素子を備えるＥＬ光源体であって、
前記封止部に対向して配置され前記第１極性電極相互を接続する第１極性接続部材と、
前記透明基板に対向して配置され前記第２極性電極相互を接続する第２極性接続部材と
を備えることを特徴とするＥＬ光源体。
【請求項２】
請求項１に記載のＥＬ光源体であって、
前記第１極性接続部材および前記第２極性接続部材は、板状導電体で形成してあり、前記第２極性接続部材は、前記透明基板に接着してあることを特徴とするＥＬ光源体。
【請求項３】
請求項１に記載のＥＬ光源体であって、
前記第１極性接続部材および前記第２極性接続部材は、箔状導電体で形成してあり、前記第１極性接続部材は接着剤で前記封止部に接着され、前記第２極性接続部材は接着剤で前記透明基板に接着してあることを特徴とするＥＬ光源体。
【請求項４】
請求項１ないし請求項３のいずれか一つに記載のＥＬ光源体であって、
前記ＥＬ素子の発光領域に対応する窓部を有する表面ケースが前記透明基板に対向して配置してあり、前記表面ケースは、遮光性を有することを特徴とするＥＬ光源体。
【請求項５】
請求項４に記載のＥＬ光源体であって、
前記表面ケースと係合して前記ＥＬ素子を被う裏面ケースを備え、該裏面ケースは、前記封止部に対応する領域を露出する窓部を有することを特徴とするＥＬ光源体。
【手続補正２】
【補正対象書類名】明細書
【補正対象項目名】発明の名称
【補正方法】変更
【補正の内容】
【発明の名称】ＥＬ光源体
【手続補正３】
【補正対象書類名】明細書
【補正対象項目名】０００１
【補正方法】変更
【補正の内容】
【０００１】
本発明は、エレクトロルミネッセンス素子（以下、ＥＬ素子ともいう。）、特に有機ＥＬ素子を用いたＥＬ光源体に関する。
【手続補正４】
【補正対象書類名】明細書
【補正対象項目名】００１６
【補正方法】削除
【補正の内容】
【手続補正５】
【補正対象書類名】明細書
【補正対象項目名】００１９
【補正方法】変更
【補正の内容】
【００１９】
また、本発明に係るＥＬ光源体では、前記第１極性接続部材および前記第２極性接続部材は、板状導電体で形成してあり、前記第２極性接続部材は、前記透明基板に接着してあることを特徴とする。
【手続補正６】
【補正対象書類名】明細書
【補正対象項目名】００２０
【補正方法】変更
【補正の内容】
【００２０】
この構成により、第１極性接続部材および第２極性接続部材を透明基板および封止部の平面に沿って配置できることから、ＥＬ素子の平面性を損なうことがなく、薄型化したＥＬ光源体とすることが可能となり、また、第１極性接続部材および第２極性接続部材の物理的強度を確保してＥＬ素子の物理的強度を補強することにより信頼性の高いＥＬ光源体とすることが可能となる。また、封止部と第１極性接続部材とを密接することが可能となり、ＥＬ素子の放熱性を向上させることができる。また、第２極性接続部材を安定的に固定して放熱性を向上させることにより、第２極性電極との接続の信頼性を向上させ、信頼性の高いＥＬ光源体とすることが可能となる。
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】変更
【補正の内容】
【００２３】
また、本発明に係るＥＬ光源体では、前記第１極性接続部材および第２極性接続部材は、箔状導電体で形成してあり、前記第１極性接続部材は接着剤で前記封止部に接着され、前記第２極性接続部材は接着剤で前記透明基板に接着してあることを特徴とする。
【手続補正１０】
【補正対象書類名】明細書
【補正対象項目名】００２４
【補正方法】変更
【補正の内容】
【００２４】
この構成により、第１極性接続部材および第２極性接続部材を封止部および透明基板に沿って容易に配置できることから平面性が良くさらに薄型のＥＬ光源体とすることが可能となり、また、第１極性接続部材および第２極性接続部材を容易に第１極性電極または第２極性電極に接続できることから生産性の高いＥＬ光源体とすることが可能となる。また、第１極性接続部材および第２極性接続部材（箔状導電体）を容易かつ確実に固定して配置することが可能となり、第１極性接続部材および第２極性接続部材の物理的強度を向上させて信頼性の高いＥＬ光源体とすることができる。
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】変更
【補正の内容】
【００２９】
また、本発明に係るＥＬ光源体では、前記ＥＬ素子の発光領域に対応する窓部を有する表面ケースが前記透明基板に対向して配置してあり、前記表面ケースは、遮光性を有することを特徴とする。
【手続補正１６】
【補正対象書類名】明細書
【補正対象項目名】００３０
【補正方法】変更
【補正の内容】
【００３０】
この構成により、透過率を低下させることなく機械的強度を確保することが可能となる。また、発光領域の周囲（発光領域の外周領域）をマスキングして発光領域を顕在化させることが可能となり、さらに、第２極性接続部材をマスキングできることから装飾性、デザイン性を向上させることができる。
【手続補正１７】
【補正対象書類名】明細書
【補正対象項目名】００３１
【補正方法】削除
【補正の内容】
【手続補正１８】
【補正対象書類名】明細書
【補正対象項目名】００３２
【補正方法】削除
【補正の内容】
【手続補正１９】
【補正対象書類名】明細書
【補正対象項目名】００３３
【補正方法】削除
【補正の内容】
【手続補正２０】
【補正対象書類名】明細書
【補正対象項目名】００３４
【補正方法】削除
【補正の内容】
【手続補正２１】
【補正対象書類名】明細書
【補正対象項目名】００３５
【補正方法】変更
【補正の内容】
【００３５】
また、本発明に係るＥＬ光源体では、前記表面ケースと係合して前記ＥＬ素子を被う裏面ケースを備え、該裏面ケースは、前記封止部に対応する領域を露出する窓部を有することを特徴とする。
【手続補正２２】
【補正対象書類名】明細書
【補正対象項目名】００３６
【補正方法】変更
【補正の内容】
【００３６】
この構成により、ＥＬ素子を外部環境から確実に分離保護して物理的強度をさらに向上することが可能となり、取り扱いが容易かつ安全で実用性の高いＥＬ光源体とすることが可能となる。また、放熱性を低下させることなく機械的強度を確保し、かつ、配線部を被覆する被覆部を確保することが可能となり、また、窓部から突出する形状の放熱体を設けてさらに放熱性を向上させることも可能である。
【手続補正２３】
【補正対象書類名】明細書
【補正対象項目名】００３７
【補正方法】削除
【補正の内容】
【手続補正２４】
【補正対象書類名】明細書
【補正対象項目名】００３８
【補正方法】削除
【補正の内容】
【手続補正２５】
【補正対象書類名】明細書
【補正対象項目名】００３９
【補正方法】削除
【補正の内容】
【手続補正２６】
【補正対象書類名】明細書
【補正対象項目名】００４０
【補正方法】削除
【補正の内容】
【手続補正２７】
【補正対象書類名】明細書
【補正対象項目名】００４１
【補正方法】削除
【補正の内容】
【手続補正２８】
【補正対象書類名】明細書
【補正対象項目名】００４２
【補正方法】削除
【補正の内容】
【手続補正２９】
【補正対象書類名】明細書
【補正対象項目名】００４３
【補正方法】削除
【補正の内容】
【手続補正３０】
【補正対象書類名】明細書
【補正対象項目名】００４４
【補正方法】削除
【補正の内容】
【手続補正３１】
【補正対象書類名】明細書
【補正対象項目名】００５０
【補正方法】削除
【補正の内容】